(57)【要約】【課題】外科手術デバイスを提供すること。【解決手段】本発明は、外科手術デバイスであって、外科手術デバイスは、カートリッジアセンブリと、アンビルアセンブリと、ステープル留め駆動部材とを有する充填ユニットであって、ステープル留め駆動部材は、カートリッジアセンブリおよびアンビルアセンブリのうちの少なくとも１つを係合するフランジを有し、充填ユニットは、本体部分を有する、充填ユニットと、カートリッジアセンブリおよびアンビルアセンブリのうちの少なくとも１つにおける機械的特徴とを含み、機械的特徴は、フランジによって係合されるように配列され、機械的特徴は、充填ユニットの局面を示す、外科手術デバイスを提供する。【選択図】なし【特許請求の範囲】
【請求項１】
外科手術デバイスであって、該外科手術デバイスは、
カートリッジアセンブリと、アンビルアセンブリと、ステープル留め駆動部材とを有する充填ユニットであって、該ステープル留め駆動部材は、該カートリッジアセンブリおよび該アンビルアセンブリのうちの少なくとも１つを係合するフランジを有し、該充填ユニットは、本体部分を有する、充填ユニットと、
該カートリッジアセンブリおよび該アンビルアセンブリのうちの少なくとも１つにおける機械的特徴とを含み、該機械的特徴は、該フランジによって係合されるように配列され、該機械的特徴は、該充填ユニットの局面を示す、
外科手術デバイス。
【請求項２】
ハンドル部分と細長い部分とをさらに含む、請求項１に記載の外科手術デバイス。
【請求項３】
前記細長い部分は、前記充填ユニットに取り外し可能に接続するための遠位端と、前記ハンドル部分に取り外し可能に接続するための近位端とを有するアダプターアセンブリである、請求項２に記載の外科手術デバイス。
【請求項４】
前記細長い部分は、前記ステープル留め駆動部材に接続している少なくとも１つの駆動部材を有し、該少なくとも１つの駆動部材は、該ステープル留め駆動部材を駆動する、請求項３に記載の外科手術デバイス。
【請求項５】
前記ハンドル部分は、コントローラーを有する、請求項２に記載の外科手術デバイス。
【請求項６】
前記充填ユニットは、前記アンビルアセンブリと前記カートリッジアセンブリとの間のギャップを決定するためのセンサーを有する、請求項１に記載の外科手術デバイス。
【請求項７】
前記ハンドル部分は、出力シャフトを有するモーターを含む、請求項２に記載の外科手術デバイス。
【請求項８】
前記ハンドル部分は、前記モーターの前記出力シャフトにおけるトルクを決定するためのセンサーを含む、請求項７に記載の外科手術デバイス。
【請求項９】
前記ハンドル部分は、モーターを含み、前記コントローラーは、該モーターの電流をモニタリングする、請求項５に記載の外科手術デバイス。
【請求項１０】
前記コントローラーは、メモリーユニットを含む、請求項５に記載の外科手術デバイス。
【請求項１１】
前記充填ユニットは、締め付け圧を決定するためのセンサーを有する、請求項１０に記載の外科手術デバイス。
【請求項１２】
前記締め付け圧は、前記メモリーユニットの中に保存される、請求項１１に記載の外科手術デバイス。
【請求項１３】
前記機械的特徴は、コーティング、テクスチャ、くぼみ、および突出部からなる群から選択される、請求項１に記載の外科手術デバイス。
【請求項１４】
前記機械的特徴は、くぼみ、くぼみと突出部、および突出部からなる群から選択される、請求項１に記載の外科手術デバイス。
【請求項１５】
前記アンビルアセンブリは、傾斜表面を有するアンビルを含む、請求項１に記載の外科手術デバイス。
【請求項１６】
前記機械的特徴は、前記傾斜表面上に規定される、請求項１に記載の外科手術デバイス。
【請求項１７】
前記機械的特徴は、前記傾斜表面に対して近位である、請求項１に記載の外科手術デバイス。
【請求項１８】
前記カートリッジアセンブリは、チャネルを有する、請求項１に記載の外科手術デバイス。
【請求項１９】
前記機械的特徴は、チャネル上に規定される、請求項１に記載の外科手術デバイス。
【請求項２０】
前記コントローラーは、前記外科手術デバイスの使用に関するデータを保存する、請求項５に記載の外科手術デバイス。
【請求項２１】
前記カートリッジアセンブリは、線状の列のステープルを有する、請求項１に記載の外科手術デバイス。
【請求項２２】
前記機械的特徴は、前記線状の列の長さを示す、請求項２１に記載の外科手術デバイス。
【請求項２３】
前記機械的特徴は、前記ステープルのサイズを示す、請求項１に記載の外科手術デバイス。
【発明の詳細な説明】
【技術分野】
【０００１】
関連出願への相互参照
本願は、２０１２年１０月１８日に出願された、米国仮特許出願第６１／７１５，４８０号に対する利益および優先権を主張し、その開示全体は、本明細書中で参考として援用される。
【０００２】
技術分野
本開示は、ハンドル部分と、取り外し可能で交換可能なエンドエフェクターとを有する外科手術デバイス（例えば、外科手術ステープル留め機器）に関する。特に、本開示は、外科手術デバイスおよびエンドエフェクターのタイプを識別するためのセンサーを有するエンドエフェクターに関する。
【背景技術】
【０００３】
背景
ハンドル部分と、交換可能なユニットとを有する外科手術デバイスは公知である。種々のタイプおよびサイズの充填ユニットを発射するために使用され得る外科手術デバイスが、Ｍａｓｔｒｉら（「Ｍａｓｔｒｉ」）に対する特許文献１に開示され、その開示は、これにより、その全体が参考として援用される。Ｍａｓｔｒｉにおいて、充填ユニットは、種々の大きさの外科手術ステープル、およびさらに、種々のステープルの線の長さを有し得る。Ｍｉｌｌｉｍａｎらに対する特許文献２は、ハンドル部分と一緒に使用され得る関節運動する充填ユニットおよび関節運動しない充填ユニットを開示し、その開示は、これにより、その全体が参考として援用される。
【０００４】
アダプターアセンブリおよびそこに取り付けられ得る複数の外科手術エンドエフェクターを有する外科手術デバイスは、特許文献３に開示され、それは、これにより、その全体が参考として援用される。アダプターは、電力式の動力化された手で持つドライバーが、多様なエンドエフェクター、例えば、端端吻合エンドエフェクター、または環状ステープラー、内視鏡胃腸管吻合エンドエフェクター、例えば、線状内視鏡ステープラー、または横吻合エンドエフェクターに接続することを可能にするように使用される。遠隔電力操作卓を有する電力式外科手術デバイスはまた、Ｗｈｉｔｍａｎら（「Ｗｈｉｔｍａｎ」）に対する特許文献４によって開示されるように提案されており、それは、これにより、その全体が参考として援用される。Ｗｈｉｔｍａｎは、外科手術デバイスを制御するための操作卓におけるコントローラーを開示している。コントローラーは、メモリーユニット（ＲＡＭおよびＲＯＭが挙げられる）を有し得、コントローラーに取り付けられた特定のエンドエフェクターからデータを読み取る。コントローラーは、コントローラーに取り付けられたエンドエフェクター上のメモリーユニットからの識別データを読み取り得、次に、外科手術デバイスのモーターへのコントローラーの接続によって、外科手術デバイスの作動を制御する。
【０００５】
電力式外科手術機器は、Ｚｅｍｌｏｋらに対する特許文献５によって開示され、その開示全体は、これにより、本明細書中で参考として援用され、電力式外科手術機器は、機器の複数の機能を駆動させるためにシフトモーターを利用する。多様なセンサーが開示されている。
【０００６】
多様な取り外し可能で交換可能なエンドエフェクターまたは充填ユニットと一緒に使用されるように設計された外科手術デバイスの状況において、取り付けられているエンドエフェクターまたは充填ユニットのタイプを識別することが望ましい。この情報は、どのように外科手術デバイスを作動させるかを決定するために使用され得る。
【先行技術文献】
【特許文献】
【０００７】
【特許文献１】米国特許第７，０４４，３５３号明細書
【特許文献２】米国特許第７，５６５，９９３号明細書
【特許文献３】米国特許出願公開第２０１１／０１７４０９９号明細書
【特許文献４】米国特許第６，８４６，３０７号明細書
【特許文献５】米国特許第７，８８７，５３０号明細書
【発明の概要】
【課題を解決するための手段】
【０００８】
概要
本開示の局面において、外科手術デバイスは、カートリッジアセンブリと、アンビルアセンブリと、ステープル留め駆動部材とを有する充填ユニットを含む。ステープル留め駆動部材は、カートリッジアセンブリおよびアンビルアセンブリのうちの少なくとも１つを係合するフランジを有し、充填ユニットは、本体部分を含む。カートリッジアセンブリおよびアンビルアセンブリのうちの少なくとも１つにおいて、機械的特徴が存在し、機械的特徴は、フランジによって係合されるように配列されている。機械的特徴は、充填ユニットの局面を示す。
【０００９】
外科手術デバイスは、ハンドル部分と細長い部分とをさらに含み得る。細長い部分は、充填ユニットに取り外し可能に接続するための遠位端と、ハンドル部分に取り外し可能に接続するための近位端とを有するアダプターアセンブリであり得る。細長い部分は、ステープル留め駆動部材に接続している少なくとも１つの駆動部材を有し得、少なくとも１つの駆動部材は、ステープル留め駆動部材を駆動し得る。ハンドル部分は、コントローラーを有し得る。
【００１０】
特定の実施形態において、充填ユニットは、アンビルアセンブリとカートリッジアセンブリとの間のギャップを決定するためのセンサーを有する。
【００１１】
ハンドル部分は、出力シャフトを有するモーターを含み得る。ハンドル部分は、モーターの出力シャフトにおけるトルクを決定するためのセンサーを含み得る。コントローラーは、メモリーユニットを含み得る。
【００１２】
充填ユニットは、締め付け圧（ｃｌａｍｐｉｎｇ  ｐｒｅｓｓｕｒｅ）を決定するためのセンサーを有し得る。特定の実施形態において、締め付け圧は、コントローラーのメモリーユニットの中に保存される。
【００１３】
機械的特徴は、コーティング、テクスチャ（ｔｅｘｔｕｒｅ）、くぼみ（ｄｅｐｒｅｓｓｉｏｎ）、または突出部であり得る。機械的特徴は、くぼみ、くぼみと突出部、または突出部であり得る。
【００１４】
特定の実施形態において、アンビルアセンブリは、傾斜表面を有するアンビルを含む。機械的特徴は、傾斜表面上に規定され得る。
【００１５】
機械的特徴は、傾斜表面に対して近位であり得る。
【００１６】
特定の実施形態において、カートリッジアセンブリは、チャネルを有する。機械的特徴は、チャネル上に規定され得る。
【００１７】
コントローラーは、外科手術デバイスの使用に関するデータを保存し得る。
【００１８】
カートリッジアセンブリは、線状の列のステープルを有し得る。特定の実施形態において、機械的特徴は、線状の列の長さを示す。機械的特徴は、ステープルのサイズを示し得る。
【００１９】
本発明は、例えば以下の項目を提供する。
（項目１）
外科手術デバイスであって、該外科手術デバイスは、
カートリッジアセンブリと、アンビルアセンブリと、ステープル留め駆動部材とを有する充填ユニットであって、該ステープル留め駆動部材は、該カートリッジアセンブリおよび該アンビルアセンブリのうちの少なくとも１つを係合するフランジを有し、該充填ユニットは、本体部分を有する、充填ユニットと、
該カートリッジアセンブリおよび該アンビルアセンブリのうちの少なくとも１つにおける機械的特徴とを含み、該機械的特徴は、該フランジによって係合されるように配列され、該機械的特徴は、該充填ユニットの局面を示す、
外科手術デバイス。
（項目２）
ハンドル部分と細長い部分とをさらに含む、上記項目に記載の外科手術デバイス。
（項目３）
上記細長い部分は、上記充填ユニットに取り外し可能に接続するための遠位端と、上記ハンドル部分に取り外し可能に接続するための近位端とを有するアダプターアセンブリである、上記項目のうちのいずれか一項に記載の外科手術デバイス。
（項目４）
上記細長い部分は、上記ステープル留め駆動部材に接続している少なくとも１つの駆動部材を有し、該少なくとも１つの駆動部材は、該ステープル留め駆動部材を駆動する、上記項目のうちのいずれか一項に記載の外科手術デバイス。
（項目５）
上記ハンドル部分は、コントローラーを有する、上記項目のうちのいずれか一項に記載の外科手術デバイス。
（項目６）
上記充填ユニットは、上記アンビルアセンブリと上記カートリッジアセンブリとの間のギャップを決定するためのセンサーを有する、上記項目のうちのいずれか一項に記載の外科手術デバイス。
（項目７）
上記ハンドル部分は、出力シャフトを有するモーターを含む、上記項目のうちのいずれか一項に記載の外科手術デバイス。
（項目８）
上記ハンドル部分は、上記モーターの上記出力シャフトにおけるトルクを決定するためのセンサーを含む、上記項目のうちのいずれか一項に記載の外科手術デバイス。
（項目９）
上記ハンドル部分は、モーターを含み、上記コントローラーは、該モーターの電流をモニタリングする、上記項目のうちのいずれか一項に記載の外科手術デバイス。
（項目１０）
上記コントローラーは、メモリーユニットを含む、上記項目のうちのいずれか一項に記載の外科手術デバイス。
（項目１１）
上記充填ユニットは、締め付け圧を決定するためのセンサーを有する、上記項目のうちのいずれか一項に記載の外科手術デバイス。
（項目１２）
上記締め付け圧は、上記メモリーユニットの中に保存される、上記項目のうちのいずれか一項に記載の外科手術デバイス。
（項目１３）
上記機械的特徴は、コーティング、テクスチャ、くぼみ、および突出部からなる群から選択される、上記項目のうちのいずれか一項に記載の外科手術デバイス。
（項目１４）
上記機械的特徴は、くぼみ、くぼみと突出部、および突出部からなる群から選択される、上記項目のうちのいずれか一項に記載の外科手術デバイス。
（項目１５）
上記アンビルアセンブリは、傾斜表面を有するアンビルを含む、上記項目のうちのいずれか一項に記載の外科手術デバイス。
（項目１６）
上記機械的特徴は、上記傾斜表面上に規定される、上記項目のうちのいずれか一項に記載の外科手術デバイス。
（項目１７）
上記機械的特徴は、上記傾斜表面に対して近位である、上記項目のうちのいずれか一項に記載の外科手術デバイス。
（項目１８）
上記カートリッジアセンブリは、チャネルを有する、上記項目のうちのいずれか一項に記載の外科手術デバイス。
（項目１９）
上記機械的特徴は、チャネル上に規定される、上記項目のうちのいずれか一項に記載の外科手術デバイス。
（項目２０）
上記コントローラーは、上記外科手術デバイスの使用に関するデータを保存する、上記項目のうちのいずれか一項に記載の外科手術デバイス。
（項目２１）
上記カートリッジアセンブリは、線状の列のステープルを有する、上記項目のうちのいずれか一項に記載の外科手術デバイス。
（項目２２）
上記機械的特徴は、上記線状の列の長さを示す、上記項目のうちのいずれか一項に記載の外科手術デバイス。
（項目２３）
上記機械的特徴は、上記ステープルのサイズを示す、上記項目のうちのいずれか一項に記載の外科手術デバイス。
【００２０】
（摘要）
カートリッジアセンブリと、アンビルアセンブリと、ステープル留め駆動部材とを有する充填ユニットであって、ステープル留め駆動部材は、カートリッジアセンブリおよびアンビルアセンブリのうちの少なくとも１つを係合するフランジを有し、充填ユニットは、本体部分を有する、充填ユニットと、カートリッジアセンブリおよびアンビルアセンブリのうちの少なくとも１つにおける機械的特徴とを有し、機械的特徴は、フランジによって係合されるように配列され、機械的特徴は、充填ユニットの局面を示す、外科手術デバイスが開示される。機械的特徴は、外科手術ステープル留めデバイスについて、ステープルの線の長さ、ステープルサイズ、充填ユニットのタイプ、および／または充填ユニットが発射されたかどうかを示し得る。
【００２１】
本開示の外科手術デバイスの実施形態は、以下の図面を参照しながら本明細書中に開示される。
【図面の簡単な説明】
【００２２】
【図１】図１は、本開示の特定の実施形態に従う、ハンドル部分の斜視図である。
【図１Ａ】図１Ａは、本開示の特定の実施形態に従う、ハンドル部分および充填ユニットの斜視図である。
【図２】図２は、本開示の特定の実施形態に従う、いくつかの部品が取り外された状態の、ハンドル部分に取り付けられたアダプターの斜視図である。
【図３】図３は、本開示の特定の実施形態に従う、アダプターの分解斜視図である。
【図４】図４は、本開示の特定の実施形態に従う、アダプターの一部の断面図である。
【図５】図５は、本開示の特定の実施形態に従う、充填ユニットの一部の分解斜視図である。
【図６】図６は、本開示の特定の実施形態に従う、充填ユニットの一部の分解斜視図である。
【図７】図７は、本開示の特定の実施形態に従う、充填ユニットの一部の斜視図である。
【図８】図８は、本開示の特定の実施形態に従う、充填ユニットの一部の斜視図である。
【図９】図９は、本開示の特定の実施形態に従う、充填ユニットの側面立面図である。
【図１０】図１０は、本開示の特定の実施形態に従う、充填ユニットの斜視図である。
【発明を実施するための形態】
【００２３】
詳細な説明
当業者は、添付の図面を伴って以下の説明を読むことにより本発明を理解する。参照文字は、図面にわたって、同じまたは同様の要素を示す。慣例であるように、用語「遠位」は、機器の使用者からより遠い場所を指し、用語「近位」は、機器の使用者からより近い場所を指す。
【００２４】
ハンドル部分１０と、複数の取り外し可能で交換可能な充填ユニットとを有する外科手術デバイスが図１〜図６に示される。外科手術デバイスは、細長い部分を含む。例えば、ハンドル部分１０は、ハンドル部分１０の一部を形成する内視鏡シャフトを有し得るか、またはハンドル部分１０は、アダプターアセンブリ１００に接続され、アダプターアセンブリ１００は、外側チューブ１０６と、アダプターアセンブリをハンドル部分１０に取り外し可能に接続するためのラッチを有する解放ボタン１０４とを含み得る。代替的に、接続は、ねじ切りされた接続、差込み接続、または任意の他の接続であり得る。内視鏡シャフトの遠位端、またはアダプターアセンブリ１００の遠位端は、充填ユニットへの接続を形成するための接続部分１２を有する。充填ユニット２０、３０、および４０が示される。線状内視鏡ステープル留め充填ユニット２０は、詳細に記載されるが、環状ステープル留め３０または横向きステープル留め４０充填ユニットも外科手術デバイスに取り付けられ得る。電気エネルギー、超音波エネルギー、または他のエネルギーを組み込む充填ユニットも提供され得る。様々な充填ユニットを収容するための適切なアダプターアセンブリが提供される。例えば、環状ステープル留め充填ユニット３０を作動させるための３つの駆動シャフトを提供することが望ましい場合がある。中に３つの駆動シャフトを有するアダプターアセンブリは、組織を把持するためにアンビルを開口および閉鎖させること、組織を通ってアンビルに対してステープルを駆動させること、ならびに組織を切断することを別個に駆動するために使用され得る。
【００２５】
充填ユニット２０と一緒に使用されるアダプターアセンブリ１００は、本体１３０と２つのドライバー（関節運動駆動ケーブル１３６およびステープル留め駆動ケーブル１３４）とを有する。図３に最も良好に見られるように、アダプターアセンブリ１００は、モーターアセンブリ５からの出力の回転運動をアダプターアセンブリの駆動部材の線形の並進に変換するために、駆動シャフトの各々のための駆動コンバーターアセンブリを有する。例えば、第１の駆動コンバーターアセンブリ１５０は、モーターアセンブリ５からの第１の出力に駆動ケーブル１３６を介して接続する第１のシャフト１５２を有する。第１のシャフト１５２は、ねじ切りされた遠位端１５２ｂを含む。関節運動駆動バー１５４は、第１のシャフト１５２のねじ切りされた遠位端と係合される、内部がねじ切りされたカラー１５４ａを有する。ねじ切りされたカラー１５４ａは、関節運動駆動バー１５４を所望の距離を並進させるために十分に長い。
【００２６】
第２の駆動コンバーターアセンブリ１４０は、ステープル留め駆動ケーブル１３４を介して、モーターアセンブリ５からの第２の出力に接続する第２のシャフト１４８を有する。第２のシャフト１４８は、ねじ切りされた近位端１４８ａを含む。内部がねじ切りされたカラー１４６は、第２のシャフトのねじ切りされた近位端１４８ａと係合させられる。カラー１４６は、管状スリーブ１４４に接続される。近位継手１４２は、駆動ケーブル１３４を管状スリーブ１４４に接続する。駆動ケーブル１３４が回転する場合、管状スリーブ１４４およびカラー１４６が回転させられ、第２のシャフト１４８が、遠位方向に前進させられる。ねじ切りされた近位端１４８ａは、組織の締め付けおよびステープルの発射のために、第２またはステープル留め駆動シャフト１４８を所望される距離を並進させるために十分に長い。本明細書中に開示される実施形態の任意のものにおいて、駆動コンバーターアセンブリは、内部がねじ切りされたシャフトを有し得、関節運動駆動シャフトならびに／またはステープル留め駆動シャフトは、内部がねじ切りされた部材と係合および相互作用するために、ねじ切りされたロッドを形成する端部を有し得る。
【００２７】
モーターアセンブリ５は、外科手術デバイスから分離され得るが、望ましくは、ハンドル部分１０の一部である。１つ以上のモーターが使用される。例えば、２つの双方向性モーターは、ハンドル部分１０に取り付けられ得、ハンドル部分１０に対して内部または外部の電池であり得る電源に接続され得る。各モーターは、ハンドル部分におけるスイッチに接続され得、モーターの方向を逆にするためのさらなるスイッチもハンドル部分に提供され得る。電源は、望ましくは、取り外し可能で再充電可能な直流電池であるが、別の源（例えば、交流電力供給のリモートアクセスアウトレット）が使用され得る。変圧器または歯車セットは、モーター用に電源を適合させるために使用され得る。
【００２８】
アダプターアセンブリ１００の遠位端は、充填ユニット２０に取り外し可能に接続するための接続部分１２を有する。接続部分１２は、Ｍａｓｔｒｉらに対する米国特許第７，０４４，３５３号に記載されたもののような、差込み接続を本質的に形成し得、その開示は、これにより、その全体が本明細書中で参考として援用される。充填ユニット２０をアダプターアセンブリ１００に固定するための係止部材１６４は、ボタン１６２に接続される。ボタン１６２は、充填ユニットが外れることを防止するために、ボタンが係止解除位置に移動させられるまで係止位置にばね付勢される。
【００２９】
内視鏡線状ステープル留め充填ユニットは、ＭａｓｔｒｉまたはＭｉｌｌｍａｎらの米国特許第７，５６５，９９３号に記載されたもののようなものであり得、それらの開示は、これにより、本明細書中で参考として援用される。充填ユニット２０は、アダプターアセンブリ１００のシャフトまたはハンドル部分との接続を形成するための２つの突起２５４を規定する近位端２５８を有する細長い本体部分２００を有する。充填ユニットを接続するための他の手段が使用され得る。充填ユニットは、電力式の動力化された外科手術ドライバー、または手動で始動させられるハンドルのいずれかに取り付けられるように設計され得る。アダプターアセンブリ１００の接続部分の係止部材１６４の端部１６４ａ（図３を参照のこと）は、充填ユニットの突起２５４を係合して、充填ユニットを適所に固定する。チューブ２５１は、本体２００の周りに配置される。
【００３０】
充填ユニット２０は、関節運動駆動バー１５４のフック状の遠位端１５４ｃを係合するためのフック状の近位端２５８を有する関節運動リンク２５６を有する。軸駆動アセンブリは、ステープル留め駆動シャフト１４８を係合するための近位プッシャー２０１を有する。ステープル留め駆動シャフト１４８および関節運動駆動バー１５４の各々は、モーターアセンブリからのそれらのそれぞれの出力によって駆動され、駆動コンバーターアセンブリによって、軸方向に遠位方向に並進させられる。
【００３１】
軸駆動アセンブリは、駆動梁２１２と、駆動梁２１２の遠位端において締め付け部材２１３とを含むステープル留め駆動部材２１１を有する。（図６を参照のこと）。駆動梁２１２は、その遠位端において締め付け部材を形成する、細長い薄板の材料または一連の積み重ねられた薄板の材料であり得る。締め付け部材２１３は、ナイフ刃を有する垂直部分２１５に取り付けられた上部フランジまたはローラー部材２１４、および下部フランジ２１６（図５を参照のこと）を有する部材である。駆動梁２１２の近位部分は、ステープル留め駆動シャフト１４８が軸駆動アセンブリの移動を遠位方向に駆動するために、プッシャー２０１を保持するための開口部を有する。締め付け部材２１３は、締め付けおよびステープル留めの間に起こる摩擦を低減するためのプラスチックの成形片、または別のプラスチックのコーティングを有し得る。ＥＰ  １，９０８，４１４および米国公開第２００８／００８３８１２号を参照のこと。その開示は、これにより、本明細書中で参考として援用される。
【００３２】
１対の顎は、取り付け部分２３６を介して細長い本体２００に取り付けられる。ステープラーアンビルアセンブリ２０７は、アンビル２０４とカバー２０８とを含む。アンビル２０４は、スロット２１４と傾斜表面２０９とを規定する。カートリッジアセンブリ２３０は、ステープルカートリッジ２２０と、チャネル２１８と、駆動梁２１２および締め付け部材２１３と相互作用するための発射アセンブリとを含む。チャネル２１８はまた、スロット（示されない）を規定し、スロットは、垂直部分２１５がスロットを通って延び、下部フランジ２１６をチャネル２１８の下に配置することを可能にする。ステープルカートリッジ２２０は、複数のステープルスロット２２５と、チャネル２１８およびアンビル２０４におけるスロットに対応するスロット２８２とを規定する。
【００３３】
アンビルアセンブリ、カートリッジアセンブリ、または両方は、旋回可能に移動可能である。例えば、アンビル２０４は、アンビル２０４がカートリッジアセンブリ２３０に対して旋回し得るように、チャネル２１８の中の凹部３０２において受け取られる突出部３０１を有する。この手法において、組織は、アンビルアセンブリ２０７とカートリッジアセンブリ２３０との間に締め付けられ得る。
【００３４】
図５および図６を参照すると、取り付けアセンブリ２０２は、本体２００の遠位端に旋回可能に固定され、取り付けアセンブリ２０２は、ハウジング部分２００の長手方向軸に対して垂直な軸を周る取り付けアセンブリ２０２の旋回移動が１対の顎の関節運動をもたらすように、充填ユニット２０の顎の近位端に取り付けられるように構成される。
【００３５】
図６を参照すると、取り付けアセンブリ２０２は、上部取り付け部分２３６と下部取り付け部分２３８とを含む。各取り付け部分は、そこにチャネル２１８の近位端を固定するためのねじ切りされたボルト２４２を受け取るような寸法にされたねじ切りされたボア２４０を、各取り付け部分の各側面に含む。１対の中央に位置する旋回部材２４４は、ハウジング部分２００の遠位端を係合する１対の継手部材２４６を介して、上部取り付け部分と下部取り付け部分との間を延びる。継手部材２４６は各々、相互係止する近位部分２４８を含み、近位部分２４８は、ハウジング部分２００の近位端に形成された溝２５０の中に受け取られるように構成され、継手部材２４６に対して長手方向に固定された位置に取り付けアセンブリ２０２と本体２００とを保持する。
【００３６】
１対のブローアウトプレート２５５が、１対の顎の関節運動中に駆動アセンブリの外方へのはみ出しを防止するために、軸駆動アセンブリの遠位端に隣接する、本体２００の遠位端に隣接して位置決めされる。各ブローアウトプレート２５５は、平らな表面を含み、平らな表面は、駆動部材２１１の外方へのはみ出しを防止するために、１対の顎の軸と実質的に平行であり、駆動アセンブリの側面に位置決めされる。各ブローアウトプレートは、取り付けアセンブリ２０２の中に形成されたそれぞれの第１の溝２０２ａに位置決めされる第１の遠位ベンド２５５ａと、ハウジング部分２００の遠位端の中に形成されたそれぞれの第２の溝２００ａに位置決めされている第２の近位ベンド２５５ｂとを含む。
【００３７】
ステープル２２６は、ステープルスロット２２５の中に配置され、プッシャー２２８によってそのステープルスロットの外に駆動される。垂直部分２１５はまた、スロット２１４を通って延び、上部フランジまたはローラー２１４をアンビル２０４の上部表面上に位置させる。そり２３４は、最初は近位部分においてステープルカートリッジの中に位置決めされ、プッシャー２２８を係合するウェッジ２３２を有する。プッシャーは、そり２３４が駆動梁２１２および締め付け部材２１３によって前進させられる場合、そりがプッシャーを持ち上げ、ステープルがスロット２２５の外に出て、組織を通って、アンビル２０４の中のステープル形成凹部に対して駆動されるように、カム作用表面（示されない）を有する。駆動梁２１２および締め付け部材２１３が最初に前進させられる場合、上部フランジまたはローラーは、アンビルアセンブリ２０７をカートリッジアセンブリ２３０と近づけるために傾斜表面２０９に沿って乗っていく。ステープルが発射される場合、ステープルの発射中、アンビルアセンブリおよびカートリッジアセンブリの位置を維持するために、駆動梁２１２および締め付け部材２１３は、アンビルアセンブリおよびートリッジアセンブリを係合し続ける。
【００３８】
本明細書中に開示される実施形態の任意のものにおいて、締め付け部材は、一体的に形成された上部および下部フランジを有するＩ形梁であり得、締め付け部材は、溶接または同様の方法によって、駆動梁の遠位端において駆動梁に取り付けられる。
【００３９】
充填ユニット２０は、ハンドル部分１０の中のコントローラー９にデータをフィードバックするために、アダプターアセンブリ１００における第２のデータコネクターとの接続のための第１のデータコネクターを含み得る。第１のデータコネクターは、充填ユニットの本体２００において接触子を含み得るのに対して、第２のデータコネクターは、第１のデータコネクターの接触子と接続するために、アダプターアセンブリ１００において配列された接触子であり得る。メモリーユニットが、充填ユニットの中に配置され、第１のデータコネクターに接続される。メモリーユニットは、本体２００の中に含まれるＥＥＰＲＯＭ、ＥＰＲＯＭなどを含み得、情報（例えば、充填ユニットのタイプ、充填ユニットの中のステープルのサイズ、ステープルが発射された場合に充填ユニットによって形成されたステープルの線の長さ、充填ユニットがすでに発射されたかどうかについての情報）を保持し得る。第２のデータコネクターは、アダプターアセンブリを通って延びるワイヤーによって、または無線接続を介してハンドルアセンブリの中のコントローラー９に接続される。代替的に、充填ユニットのメモリーユニットは、ハンドル部分の中のコントローラーと無線電通し得る。
【００４０】
コントローラーは、集積回路、アナログ回路もしくは論理回路、および／またはマイクロプロセッサーであり得る。コントローラーは、充填ユニットのメモリーユニット、アダプターアセンブリおよび／または充填ユニットの中の他のセンサーから情報を受け取り、外科手術デバイスの作動を制御し得る。例えば、センサーは、カートリッジアセンブリおよびアンビルアセンブリにおける締め付け力を検出するために使用され得る。コントローラーは、推奨される力を超える事象において、視覚による警報もしくは可聴警報を開始し得、またはコントローラーは、ハンドルアセンブリのモーターを停止させることによって、外科手術デバイスの作動を中止し得る。取り外し可能なメモリーチップまたはカードも含まれ得る。
【００４１】
外科手術デバイスと一緒に使用するために種々のステープルの線の長さを有する充填ユニット２０が利用可能である場合、外科手術デバイスの作動を制御するために、ステープルの線の長さを識別し、その情報を使用することは有用であり得る。例えば、コントローラー９は、メモリーユニットから、および充填ユニットにおける第１のデータコネクターを通って、ステープルの線の長さを受け取る。その情報は、ハンドル部分１０の中のメモリーユニット１１からのデータと比較されて、どのくらい遠くにステープル駆動シャフト１４８を駆動するべきかを決定し、そのシャフト１４８を遠くに駆動し過ぎること、および充填ユニットを損傷させる可能性を避ける。充填ユニットのタイプ、およびステープルの線の長さ、ステープルサイズなどは、従って、外科手術デバイスの作動を制御するために使用され得る。コントローラー９は、ステープルの線の長さに達した後、ステープル留め駆動ケーブル１３４が駆動される方向を逆にするようにプログラムされ得、それにより、ステープル留め駆動シャフト１４８の方向を逆にし、充填ユニットの顎が開くことを可能にする。代替的に、または加えて、そり２３４、締め付け部材２１３、および／または駆動梁２１２の位置を決定するために、ならびにステープルの線の端に達した場合にモーターの方向を逆にするために、センサーが充填ユニットの中に提供され得る。
【００４２】
ハンドル部分１０は、ケーブル１３４、１３６の回転を駆動するために、電池、発電機、または電気的ソケットを通してモーターアセンブリ５に電力を供給する。組織の上に充填ユニットの顎を締め付けるために必要とされるトルクの量は、モーターの電流をモニタリングすることによって検知され得る。アンビル２０４の傾斜表面２０９の上を締め付け部材２１３が最初に移動する間の組織の締め付け中に、締め付け部材２１３は、アンビル２０４、およびカートリッジアセンブリとアンビルアセンブリとの間に締め付けられている組織に力を及ぼす。これらの力は、コントローラー９によって検出され得、特徴付けられ得る。例えば、カートリッジ２２０に向かって組織を締め付けることにおけるアンビルの力が検出され得、コントローラーのメモリーユニット１１の中のデータと比較され得、外科医に情報を提供するために使用され得る。また、この情報は、後の使用のために保存され得、報告され得る。ハンドル部分１０は、望ましくは、情報を表示するため、または外科手術デバイスの使用者に警告するためのディスプレーユニットおよび／またはインジケーターを有する。加えて、または代替的に、デバイスは、可聴警報または録音されたメッセージを発する音声の構成要素を含み得る。ディスプレーは、発光ダイオード、液晶ディスプレー、または任意の他のディスプレーであり得る。
【００４３】
１つまたは複数のエンコーダーは、外科手術デバイスのセンサーのうちの１つとして使用され得る。エンコーダーは、シャフト上に取り付けられた１つまたは複数の磁石を検出するために、モーターからの駆動シャフトに隣接して取り付けられたホール効果デバイスを含む。この手法において、駆動シャフトの角度位置、およびそれらの方向、ならびに駆動シャフト、駆動ケーブル１３４、１３６、関節運動駆動バー１５４、および／またはステープル留め駆動シャフト１４８の位置が決定され得る。本明細書中に開示される実施形態の任意のものにおいて、駆動ケーブル１３４、１３６、関節運動駆動バー１５４、および／またはステープル留め駆動シャフト１４８について提供されるエンコーダーまたは他のセンサーが存在することが企図される。
【００４４】
センサー２１１はまた、ステープルカートリッジ２２０とアンビル２０４との間のギャップを決定するために、充填ユニット２０の中に提供され得る。コントローラーは、特定の充填ユニットのための所望のギャップを示す情報の表を含み得、所望のギャップが達成されることができない事象において、ステープルの発射を防止するために使用され得る。例えば、米国公開第２０１２／０２１１５４２号（その開示は、これにより、本明細書中で参考として援用される）は、外科手術デバイスを制御するための組織管理モードを開示し、記憶された相関表を利用する。本明細書中に開示される実施形態の任意のものにおいて、外科手術デバイスは、締め付け力、カートリッジ２２０とアンビル２０４との間のギャップ、充填ユニットが使用されたかどうか、充填ユニットのタイプ、および／またはステープルの線の長さもしくはサイズを決定する、アダプターアセンブリ１００、充填ユニット２０、および／またはハンドル部分１０の中のコントローラーおよびセンサーを含み得る。情報は、外科手術デバイスの作動を制御するために使用され、いくつかの指示を使用者に提供し、および／または後の使用のために単に記憶される。
【００４５】
本明細書中に開示される実施形態の任意のものにおいて、充填ユニットは、カートリッジ２２０のタイプ、ステープルの線の長さ、ステープルのサイズなどを決定するための機械的特徴を有する。機械的特徴は、充填ユニットのそのタイプに特有の、特に成型されたこぶ（ｂｕｍｐ）、くぼみ、または一連のこぶもしくはくぼみである。機械的特徴は、種々の形状および／またはテクスチャを有し得、ステープルサイズ、ステープルの線の長さ、または両方を決定し得る。それは、充填ユニットの他の局面（例えば、それが関節運動しているか、または関節運動していないか）を決定するためにも使用され得る。機械的特徴は、テクスチャ、種々の摩擦抵抗、または充填ユニットのタイプを区別し得るいくつかの他の局面を提供する、充填ユニット上のコーティングであり得る。
【００４６】
機械的特徴１０２０は、締め付け部材１２１３がカートリッジアセンブリ１２３０、アンビルアセンブリ１２０７、または両方を係合する場所において、充填ユニット上に位置する。図９に示されるように、アンビルアセンブリ１２０７とカートリッジアセンブリ１２３０とを有する充填ユニットはまた、切開する先端１０１０を有する。締め付け部材１２１３の最初の前進において、締め付け部材の上部フランジまたはローラー１２１４は、傾斜表面１２０９を横切る。傾斜表面１２０９上に提供される１つまたは複数の機械的特徴１０２０は、モーターにおける力またはトルクを変化させる。機械的特徴の実施例の拡大版は、図９に示される。力またはトルクの変化は、ハンドル部分のコントローラーによって検出され、コントローラーのメモリーユニット１１の中のデータと比較される。この情報を用いて、コントローラー９は、充填ユニットが、例えば、４５ｍｍのステープルの線の長さを有することを決定し、ステープル留め駆動ケーブル１３４に所定の数の回転をさせることにより、全てのステープルを駆動するために必要であるがカートリッジアセンブリ１２３０の長さを超えない距離をステープル留め駆動シャフト１４８を駆動する。さらに、充填ユニットが関節運動する充填ユニットであることが決定され得、関節運動駆動ケーブル１３６が駆動されることを可能にする。充填ユニットが関節運動する充填ユニットではないことが決定される場合、関節運動駆動ケーブル１３６は、モーターアセンブリ５の中の対応するモーターをオンしないことによって、駆動されることが防止される。例えば、１つまたは複数の機械的特徴１０２０は、チャネル１２１８上に提供され得、充填ユニットのタイプ、ステープルの線の長さ、ステープルサイズを識別するか、または充填ユニットを関節運動するものと識別する。同様に、１つまたは複数の機械的特徴１０２０は、チャネル１２１８および／またはアンビル表面上に提供され得、充填ユニットを充填ユニット上に予め充填されたバットレスを有するものと識別するか、または充填ユニットを切開する先端を有するものと識別する。
【００４７】
本明細書中に開示される実施形態の任意のものにおいて、機械的特徴１０２０は、傾斜表面１２０９に対して近位である領域において、アンビルアセンブリ１２０７、カートリッジアセンブリ１２３０、または両方の上に提供され得る。この手法において、外科手術デバイスの使用者は、締め付けが起きる前に充填ユニットのタイプを決定し得る。本明細書中に開示される実施形態の任意のものにおいて、機械的特徴１０２０の他に、電子センサー、光学センサー、磁気センサー、および／または任意の他の種類のセンサーが、特定の充填ユニットおよびその使用についての情報を提供するために使用され得る。本明細書中に開示される実施形態の任意のものにおいて、電子センサー、磁気センサー、光学センサー、または他のセンサーが、充填ユニットのタイプ、ステープルサイズ、ステープルの線の長さ、充填ユニットの他の局面、および／または充填ユニットが発射されたかどうか、もしくは以前に使用されたかどうかを示すために、上部フランジもしくはローラー２１４、アンビル２０４、チャネル２１８、またはそれらの任意の組み合わせにおいて提供される。
【００４８】
図１０は、湾曲させられたアンビルアセンブリとカートリッジアセンブリとを有する別の充填ユニット２０２０を示す。湾曲させられた充填ユニット２０２０は、上に記載されたような締め付け部材と駆動梁とを有する。機械的特徴は、上に記載されたように、充填ユニットのタイプ、ステープルのサイズ、ステープルの線の長さまたは直径などを決定するために使用される。
【符号の説明】
【００４９】
２０、３０、４０、２０２０  充填ユニット
２０７、１２０７  アンビルアセンブリ
２１１  ステープル留め駆動部材
２１６  （下部）フランジ
２３０、１２３０  カートリッジアセンブリ
１０２０  機械的特徴
【図１】
2014083438.tif 000002
【図１Ａ】
2014083438.tif 000003
【図２】
2014083438.tif 000004
【図３】
2014083438.tif 000005
【図４】
2014083438.tif 000006
【図５】
2014083438.tif 000007
【図６】
2014083438.tif 000008
【図７】
2014083438.tif 000009
【図８】
2014083438.tif 000010
【図９】
2014083438.tif 000011
【図１０】
2014083438.tif 000012